【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
潤滑剤組成物であって、
（ａ）約２．２〜約３．７ｍｍ２／ｓの１００℃における動粘度を有する油、
（ｂ）前記組成物に約２５〜約１００重量百万分率のホウ素を供給する量の、４〜約１８個の炭素原子のアルキル基を有する少なくとも１種のホウ酸エステル、
（ｃ）前記組成物に約１５０〜約６５０重量百万分率のリンを供給する量の少なくとも１種のリンエステル、および
（ｄ）分散剤的な機能性を有する直線状ポリマー粘度調整剤を含む粘度指数調整剤であって、前記直線状ポリマーが、５，０００〜２５，０００の重量平均分子量を有し、前記直線状ポリマーが、約０．１〜約４重量パーセントの量で存在する、粘度指数調整剤
を含み、
前記潤滑剤組成物の１００℃における動粘度が、約４．７ｍｍ２／ｓまたはそれ未満である、
潤滑剤組成物。
【請求項２】
前記少なくとも１種のホウ酸エステル（ｂ）の量が、約０．１〜約１．１重量パーセントまたは０．１５〜約０．７重量パーセントであり、
前記少なくとも１種のリンエステル（ｃ）の量が、約０．０５〜約０．４０重量パーセントである、
請求項１に記載の潤滑剤組成物。
【請求項３】
前記組成物が、約１００〜約５００百万分率のホウ素および約１５０〜約１０００百万分率のリンを含む、請求項１または２に記載の潤滑剤組成物。
【請求項４】
構成成分（ａ）の前記油が、ＡＰＩグループＩＩもしくはグループＩＩＩ油またはこれらの混合物を含む、請求項１に記載の潤滑剤組成物。
【請求項５】
（ｂ）前記少なくとも１種のホウ酸エステルである構成成分が、４〜１２個の炭素原子のアルキル基を含むホウ酸エステルおよび１４〜約１８個の炭素原子のアルキル基を含むホウ酸エステルを含む、請求項１から４のいずれか一項に記載の潤滑剤組成物。
【請求項６】
（ｂ）前記少なくとも１種のホウ酸エステルである構成成分が、約１２〜約１８個の炭素原子を有するホウ素化エポキシドを含む、請求項１から４のいずれか一項に記載の潤滑剤組成物。
【請求項７】
（ｂ）前記少なくとも１種のホウ酸エステルである構成成分が、ホウ酸と約６〜約１２個の炭素原子のアルコールとの反応生成物を含む、請求項１から５のいずれか一項に記載の潤滑剤組成物。
【請求項８】
（ｃ）前記リンエステルが、亜リン酸ジブチル等のＣ４〜Ｃ６アルキルホスファイト、または、モノマー亜リン酸もしくは亜リン酸エステルとアルキレンジオールとの反応生成物であるオリゴマーホスファイトを含む、請求項１から６のいずれか一項に記載の潤滑剤組成物。
【請求項９】
（ｄ）前記粘度指数調整剤が、窒素含有分散剤モノマーを含有するポリ（メタ）アクリレートを含む、請求項１に記載の潤滑剤組成物。
【請求項１０】
（ｅ）スクシンイミド分散剤をさらに含む、請求項１から９のいずれか一項に記載の潤滑剤組成物。
【請求項１１】
（ｅ）前記スクシンイミド分散剤が、ホウ素化スクシンイミド分散剤を含む、請求項１０に記載の潤滑剤組成物。
【請求項１２】
（ｅ）前記スクシンイミド分散剤が、ジメルカプトチアジアゾールによってさらに処理されている、請求項１０または１１に記載の潤滑剤組成物。
【請求項１３】
（ｅ）前記スクシンイミド分散剤の一部またはすべてが、ホウ素化されており、ジメルカプトチアジアゾールによって処理されている、請求項１０から１３のいずれか一項に記載の潤滑剤組成物。
【請求項１４】
（ｅ）ホウ素含有スクシンイミド分散剤の量が、約１．０〜約３．５重量パーセントである、請求項１１から１３のいずれか一項に記載の組成物。
【請求項１５】
（ｅ）ホウ素含有スクシンイミド分散剤である構成成分が、それと一緒に存在するジメルカプトチアジアゾール部分の存在により、前記組成物に約１０〜約２５０重量百万分率の硫黄を供給する、請求項１１から１４のいずれか一項に記載の潤滑剤組成物。
【請求項１６】
（ｅ）ホウ素含有スクシンイミド分散剤が、約０．６〜約０．９重量パーセントまたは０．５４〜０．８５重量パーセントまたは０．５６〜０．８３重量パーセントのホウ素含量を有する、請求項１１から１５のいずれか一項に記載の潤滑剤組成物。
【請求項１７】
摩擦調整剤、酸化防止剤、清浄剤、腐食防止剤、極圧／摩耗防止剤、消泡剤またはシール膨潤剤のうちの少なくとも１つをさらに含む、請求項１から１６のいずれか一項に記載の潤滑剤組成物。
【請求項１８】
潤滑剤組成物であって、
（ａ）約２．２〜約３．７ｍｍ２／ｓの１００℃における動粘度を有する約５０〜約９８重量パーセントの油、
（ｂ−１）Ｃ４〜Ｃ１２アルキル基を含む約０．１〜約１．０重量パーセントのホウ酸エステル、
（ｂ−２）Ｃ１４〜約Ｃ１８アルキル基を含む約０．１５〜約０．４０重量パーセントのホウ酸エステル、
（ｃ）前記組成物に約１５０〜約６５０重量百万分率のリンを供給する量の少なくとも１種のリンエステル、
（ｅ−１）ジメルカプトチアジアゾールによって処理されていない約１．０〜約４．０重量パーセントのホウ素化スクシンイミド分散剤、および
（ｅ−２）ジメルカプトチアジアゾールによって処理された約０．１〜約１．５重量パーセントのホウ素化スクシンイミド分散剤
を含み、
構成成分（ｂ−１）、（ｂ−２）、（ｅ−１）および（ｅ−２）によって供給されるホウ素の量が、前記組成物に対して少なくとも１８０重量百万分率であり、前記潤滑剤組成物の１００℃における動粘度が、約４．７ｍｍ２／ｓまたはそれ未満である、
潤滑剤組成物。
【請求項１９】
オートマチックトランスミッションを潤滑する方法であって、前記オートマチックトランスミッションに請求項１から１８のいずれか一項に記載の潤滑剤組成物を供給することを含む、方法。
【請求項２０】
前記オートマチックトランスミッションが、前記潤滑剤組成物によって潤滑されるべきベアリングを含む、請求項１９に記載の方法。
【手続補正２】
【補正対象書類名】明細書
【補正対象項目名】００１２
【補正方法】変更
【補正の内容】
【００１２】
開示の技術は、オートマチックトランスミッションの潤滑におけるこのような組成物の使用をさらに提供する。
本発明の実施形態において、例えば以下の項目が提供される。
（項目１）
潤滑剤組成物であって、
（ａ）約２．２〜約３．７ｍｍ２／ｓの１００℃における動粘度を有する油、
（ｂ）前記組成物に約２５〜約３００重量百万分率または約３０〜約１５０重量百万分率または５０〜１００重量百万分率のホウ素を供給する量の、４〜約１８個の炭素原子のアルキル基を有する少なくとも１種のホウ酸エステル、および
（ｃ）前記組成物に約１５０〜約６５０重量百万分率のリンを供給する量の少なくとも１種のリンエステル
を含み、
前記潤滑剤組成物の１００℃における動粘度が、約４．７ｍｍ２／ｓまたはそれ未満である、
潤滑剤組成物。
（項目２）
前記少なくとも１種のホウ酸エステル（ｂ）の量が、約０．１〜約１．１重量パーセントまたは０．１５〜約０．７重量パーセントであり、
前記少なくとも１種のリンエステル（ｃ）の量が、約０．０５〜約０．４０重量パーセントである、
項目１に記載の潤滑剤組成物。
（項目３）
前記組成物が、約１００〜約５００百万分率のホウ素および約１５０〜約１０００百万分率のリンを含む、項目１または２に記載の潤滑剤組成物。
（項目４）
構成成分（ａ）の前記油が、ＡＰＩグループＩＩもしくはグループＩＩＩ油またはこれらの混合物を含む、項目１に記載の潤滑剤組成物。
（項目５）
（ｂ）前記少なくとも１種のホウ酸エステルである構成成分が、４〜１２個の炭素原子のアルキル基を含むホウ酸エステルおよび１４〜約１８個の炭素原子のアルキル基を含むホウ酸エステルを含む、項目１から４のいずれか一項に記載の潤滑剤組成物。
（項目６）
（ｂ）前記少なくとも１種のホウ酸エステルである構成成分が、約１２〜約１８個の炭素原子を有するホウ素化エポキシドを含む、項目１から４のいずれか一項に記載の潤滑剤組成物。
（項目７）
（ｂ）前記少なくとも１種のホウ酸エステルである構成成分が、ホウ酸と約６〜約１２個の炭素原子のアルコールとの反応生成物を含む、項目１から５のいずれか一項に記載の潤滑剤組成物。
（項目８）
（ｃ）前記リンエステルが、亜リン酸ジブチル等のＣ４〜Ｃ６アルキルホスファイト、または、モノマー亜リン酸もしくは亜リン酸エステルとアルキレンジオールとの反応生成物であるオリゴマーホスファイトを含む、項目１から６のいずれか一項に記載の潤滑剤組成物。
（項目９）
（ｄ）粘度指数調整剤をさらに含む、項目１から７のいずれか一項に記載の潤滑剤組成物。
（項目１０）
（ｄ）前記粘度指数調整剤が、窒素含有分散剤モノマーを含有するポリ（メタ）アクリレートを含む、項目８に記載の潤滑剤組成物。
（項目１１）
（ｄ）前記粘度指数調整剤が、分散剤的な機能性を有する直線状ポリマー粘度調整剤を
含み、前記直線状ポリマーが、５，０００〜２５，０００の重量平均分子量を有し、前記直線状ポリマーが、約０．１〜約４重量パーセントの量で存在する、項目８に記載の潤滑剤組成物。
（項目１２）
（ｅ）スクシンイミド分散剤をさらに含む、項目１から１０のいずれか一項に記載の潤滑剤組成物。
（項目１３）
（ｅ）前記スクシンイミド分散剤が、ホウ素化スクシンイミド分散剤を含む、項目１０に記載の潤滑剤組成物。
（項目１４）
（ｅ）前記スクシンイミド分散剤が、ジメルカプトチアジアゾールによってさらに処理されている、項目１０または１１に記載の潤滑剤組成物。
（項目１５）
（ｅ）前記スクシンイミド分散剤の一部またはすべてが、ホウ素化されており、ジメルカプトチアジアゾールによって処理されている、項目１０から１３のいずれか一項に記載の潤滑剤組成物。
（項目１６）
（ｅ）ホウ素含有スクシンイミド分散剤の量が、約１．０〜約３．５重量パーセントである、項目１２から１４のいずれか一項に記載の組成物。
（項目１７）
（ｅ）ホウ素含有スクシンイミド分散剤である構成成分が、それと一緒に存在するジメルカプトチアジアゾール部分の存在により、前記組成物に約１０〜約２５０重量百万分率の硫黄を供給する、項目１０から１５のいずれか一項に記載の潤滑剤組成物。
（項目１８）
（ｅ）ホウ素含有スクシンイミド分散剤が、約０．６〜約０．９重量パーセントまたは０．５４〜０．８５重量パーセントまたは０．５６〜０．８３重量パーセントのホウ素含量を有する、項目１２から１６のいずれか一項に記載の潤滑剤組成物。
（項目１９）
摩擦調整剤、酸化防止剤、清浄剤、腐食防止剤、極圧／摩耗防止剤、消泡剤またはシール膨潤剤のうちの少なくとも１つをさらに含む、項目１から１７のいずれか一項に記載の潤滑剤組成物。
（項目２０）
潤滑剤組成物であって、
（ａ）約２．２〜約３．７ｍｍ２／ｓの１００℃における動粘度を有する約５０〜約９８重量パーセントの油、
（ｂ−１）Ｃ４〜Ｃ１２アルキル基を含む約０．１〜約１．０重量パーセントのホウ酸エステル、
（ｂ−２）Ｃ１４〜約Ｃ１８アルキル基を含む約０．１５〜約０．４０重量パーセントのホウ酸エステル、
（ｃ）前記組成物に約１５０〜約６５０重量百万分率のリンを供給する量の少なくとも１種のリンエステル、
（ｅ−１）ジメルカプトチアジアゾールによって処理されていない約１．０〜約４．０重量パーセントのホウ素化スクシンイミド分散剤、および
（ｅ−２）ジメルカプトチアジアゾールによって処理された約０．１〜約１．５重量パーセントのホウ素化スクシンイミド分散剤
を含み、
構成成分（ｂ−１）、（ｂ−２）、（ｅ−１）および（ｅ−２）によって供給されるホウ素の量が、前記組成物に対して少なくとも１８０重量百万分率であり、前記潤滑剤組成物の１００℃における動粘度が、約４．７ｍｍ２／ｓまたはそれ未満である、
潤滑剤組成物。
（項目２１）
オートマチックトランスミッションを潤滑する方法であって、前記オートマチックトランスミッションに項目１から１９のいずれか一項に記載の潤滑剤組成物を供給することを含む、方法。
（項目２２）
前記オートマチックトランスミッションが、前記潤滑剤組成物によって潤滑されるべきベアリングを含む、項目２０に記載の方法。